(57)【要約】【課題】レンガ製笠木から垂れ落ちる雨水等による塀の壁面の汚損を防ぐ。【解決手段】塀本体Ｂと、塀本体Ｂ上に備えられるレンガ製の笠木Ｃと、笠木Ｃと塀本体Ｂと間に備えられるプラスチック製の水切り材Ｄとを備える塀Ａであって、水切り材Ｄが、長尺板状部１０と、長尺板状部１０の一方の長手縁に沿って長尺板状部１０から垂れ下げ状態に設けられている垂下突条部１１とを備えており、垂下突条部１１を塀本体Ｂに平行に、かつ、長尺板状部１０における垂下突条部１１を有しない長手縁に沿った板状部を塀本体Ｂと水切り材Ｄとの間に挟み入れるように長尺板状部１０を笠木Ｃの下面に添わせてある。【選択図】図３
2008013968.tif 000002
【特許請求の範囲】
【請求項１】
塀本体と、この塀本体上に備えられるレンガ製の笠木と、この笠木と塀本体と間に備えられるプラスチック製の水切り材とを備える塀であって、
この水切り材が、長尺板状部と、この長尺板状部の一方の長手縁に沿って当該長尺板状部から垂れ下げ状態に設けられている垂下突条部とを備えており、
この垂下突条部を前記塀本体に平行に、かつ、前記長尺板状部における垂下突条部を有しない長手縁に沿った板状部を前記塀本体と笠木との間に挟み入れるように該長尺板状部を笠木の下面に添わせてあることを特徴とする塀。
【請求項２】
前記水切り材が、前記塀本体に沿う見切り凸条を前記長尺板状部の下面から下方に突き出すように備えていることを特徴とする請求項１に記載の塀。
【請求項３】
前記長尺板状部における塀本体と笠木との間に挟み入れられる板状部の長手方向に細長い孔を止めつけ板状部を介して連続して備えていることを特徴とする請求項１又は請求項２に記載の塀。
【請求項４】
前記塀本体の内側と外側とに備えられる水切り材の一方水切り材が、垂下突条部側を屈曲外側にして留接ぎしてあると共に、他方水切り材が、垂下突条部側を屈曲内側にして留接ぎしてあることを特徴とする請求項１、請求項２又は請求項３に記載の塀。
【請求項５】
前記塀本体の内側と外側とに備えられる水切り材が、長尺板状部における孔に沿っている板状部を当該孔が外部に連通するようにカットされて、湾曲する塀本体に沿って備えさせてあることを特徴とする請求項１、請求項２又は請求項３に記載の塀。
【発明の詳細な説明】
【技術分野】
【０００１】
この発明は、レンガ笠木を備える塀における雨水等の垂れ落ちに伴う汚損を効果的に避け得るようにした塀の改良に関する。
【背景技術】
【０００２】
住宅における快適かつ安全な居住性の保証や、建造物本来の景観を効果的に表出するなどの各種の要請から外構上、塀は主要な構成要素とされており、堅牢性、意匠性等から各種の塀が構築用いられている。
【０００３】
かかる意匠性、堅牢性等を考慮して笠木をレンガ仕立てとした塀が構築用いられている。
【０００４】
しかしながら、笠木を構成するレンガにおけるメジ部分から雨水が塀面に流れ落ち、また、当該メジ部分からの湿りが塀の表面に滲み、黴出し、変色等をもたらすことが多く、塀における意匠性を著しく損なう不具合があった。
【０００５】
かかる点から、笠木の外側面を伝わって流下する雨水等の液体が塀の面に伝わらないように工夫した笠木が提案されている（例えば、特許文献１）。
【０００６】
【特許文献１】実開平６−７１８００号公報
【発明の開示】
【発明が解決しようとする課題】
【０００７】
この特許文献１に示される塀の笠木にあっては、笠木の幅を塀本体の壁厚より大きくする一方、前記笠木の幅方向両外側部に、塀本体の上面に接合される笠木底面より下方に突出する下向き突条をそれぞれ形成するとともに、該各下向き突条の内面間の間隔を前記塀本体の壁厚より大きく構成し、この笠木からの雨水が塀本体の壁面に沿って流れ落ちるのを避けるように構成してある。
【０００８】
しかしながら、このような笠木を備える塀にあっては、塀本体上に備えられる笠木が素材面、形状面、強度面等において各種の制約を受けることとなり、自然な重厚感に溢れる塀の構築には不向きであった。
【０００９】
例えば、長方体状の意匠的に違和感の無いレンガを用いる等して重厚感に溢れる笠木を備える塀を構成するには無理があった。
【００１０】
かかる点から、何等の細工も施してないレンガを用いて塀本体上にレンガ固有の意匠性を備えるレンガ笠木を、当該レンガ笠木からの雨水等の流れ落ちに伴う不具合の無い態様に備えた塀を提案しようとするものである。
【課題を解決するための手段】
【００１１】
この発明は、前記課題を解決するために、塀本体と、この塀本体上に備えられるレンガ製の笠木と、この笠木と塀本体と間に備えられるプラスチック製の水切り材とを備える塀であって、
この水切り材が、長尺板状部と、この長尺板状部の一方の長手縁に沿って当該長尺板状部から垂れ下げ状態に設けられている垂下突条部とを備えており、
この垂下突条部を前記塀本体に平行に、かつ、前記長尺板状部における垂下突条部を有しない長手縁に沿った板状部を前記塀本体と笠木との間に挟み入れるように該長尺板状部を笠木の下面に添わせてあることを特徴とする塀としてある。
【００１２】
このように構成される塀にあっては塀本体上に備えられるレンガ笠木から塀本体に流れ落ちる雨水が当該水切り材における垂下突条部によって縁切りされて、塀本体側に回ることなく下方に落下される。また、レンガ笠木におけるモルタルメジ部分における湿り等の滲み出し、黴出し、変色等を効果的に遮断することができる。
【００１３】
また、かかる塀にあっては、典型的なレンガ笠木の風合いを全く損なうことなく、通常のレンガ積みによって笠木を構成し得ると共に、典型的な外観を有するレンガ笠木を備える塀を、当該レンガ笠木からの雨水、湿りを効果的に遮断して、塀面における雨液の流れ跡、雨液の滲みだし跡、黴出し、付着塵埃や塵埃付着跡等が発生することのない塀を提供することができる。
【００１４】
また、かかる構成よりなる塀にあっては、容易に、かつ、確実に水切り処理の施されたレンガ笠木を構成することができる。
【００１５】
ついで、前記構成に係る塀において、前記水切り材を、塀本体に沿う見切り凸条を長尺板状部の下面から下方に突き出すように備えた構成としてある塀にあっては、前記特長に併せて、この見切り凸条を目安にして笠木備え付けに伴う下地モルタルの塗りつけをなすことができる。
【００１６】
また、前記構成に係る塀において、その長尺板状部における塀本体と笠木との間に挟み入れられる板状部の長手方向に細長い孔を止めつけ板状部を介して連続して備える構成の水切り材とした構成の塀にあっては、前記特長に併せて、当該水切り材を塀本体に容易かつ確実に止めつけ得ると共に、この水切り材を介して塀本体に対して笠木手段としてのレンガを容易かつ確実に備え付けることができる。
【００１７】
また、前記構成に係る塀において、前記塀本体の内側と外側とに備えられる水切り材の一方水切り材を、垂下突条部側を屈曲外側にして留接ぎにし、また、他方水切り材を、垂下突条部側を屈曲内側にして留接ぎにすることで、直角に屈曲する塀笠木における雨水等の垂れ落ち、滲み出し、及び当該垂れ落ち、滲みだしに伴う塀面の変色等を効果的に防ぐことができる。
【００１８】
また、前記構成に係る塀において、前記塀本体の内側と外側とに備えられる水切り材を、長尺板状部に備えられている孔を外部に連通させるように当該孔に沿っている板状部でカットし、当該水切り材を湾曲する笠木に沿って備えさせることで、平面視において外向き、又は、内向きに湾曲する塀の笠木における雨水等の垂れ落ち、滲みだし、及び当該垂れ落ち、滲みだしに伴う塀面の変色等を効果的に防ぐことができる。
【発明の効果】
【００１９】
レンガ笠木からの雨水等の垂れ落ち、滲み出し、変色等によって汚損されることのない塀を、容易に、しかも、確実に構成する。
【発明を実施するための最良の形態】
【００２０】
以下、図１〜図８にもとづいて、この発明を実施するための最良の形態に係る塀Ａについて説明する。
【００２１】
なお、ここで図１は当該発明を実施するための最良の形態に係る典型的な塀Ａを門柱Ｅに連続して設けた状態を斜め上方から見て、図２は、当該塀Ａの上部側を正面から見て、図３は、この塀Ａの上部側を縦方向で断面して側方から見て、図４は、この図３における要部を拡大して示している。図５は、この塀Ａに用いられる典型的な水切り材Ｄを斜め上方から見て、更に、図６は、この水切り材Ｄを塀本体Ｂの上部に備え付けた状態を上方から見て、図７は、この水切り材Ｄにおける孔１３を外部と連通するようにカットした状態を上方から見て、図８は、このカット処理のされた水切り材Ｄを平面視で湾曲している塀本体Ｂの上部に備え付けた状態を示している。
【００２２】
この発明を実施するための最良の形態に係る塀Ａは、塀本体Ｂと、この塀本体Ｂ上に備えられるレンガＣ’製の笠木Ｃと、この笠木Ｃと塀本体Ｂと間に備えられるプラスチック製の水切り材Ｄとを備える塀Ａであって、
この水切り材Ｄが、長尺板状部１０と、この長尺板状部１０の一方の長手縁に沿って当該長尺板状部１０から垂れ下げ状態に設けられている垂下突条部１１とを備えており、
この垂下突条部１１を前記塀本体Ｂに平行に、かつ、前記長尺板状部１０における垂下突条部１１を有しない長手縁に沿った板状部を前記塀本体Ｂと笠木Ｃとの間に挟み入れるように該長尺板状部１０を笠木Ｃの下面に添わせてある。
【００２３】
ここで笠木Ｃの備えられる塀本体Ｂは、塀本体Ｂの上にレンガＣ’製の笠木Ｃを備え付け得る構造のものであれば、例えば、コンクリートブロック塀、レンガ塀、ＲＣ塀等いかなる素材によって構成してあってもよい。また、この塀本体Ｂは、独立した塀として構成してあっても、門柱Ｅ等の構造物に付帯して備えられていてもよい。また、かかる塀は、平面視で真っ直ぐに構成されている塀であっても、また、平面視で適宜屈曲する塀であっても、さらには、平面視で適宜湾曲する塀であってもよい。
【００２４】
また、笠木Ｃを構成するレンガＣ’は、典型的には壁材や屋根材等として用いられるレンガ等の各種レンガを用いることができる。
【００２５】
また、プラスチック製の水切り材Ｄは、所定の耐水性、耐候性を備えるプラスチック材を用いて構成してあって、笠木Ｃからの液体、典型的には雨水等が塀本体Ｂに伝わらないように遮断し得るものであれば、いかなる素材を用いて、いかなる製法で、いかなる形態に構成してあってもよい。
【００２６】
また、前記長尺板状部１０は、一方の長手縁に沿って垂下突条部１１を垂れ下げ状態に一体に備えて、この垂下突条部１１を備えていない側の長手縁に沿った板状部を塀本体Ｂと笠木Ｃとの間に挟み入れ得る構成としてあり、この塀本体Ｂと笠木Ｃとの間に挟み入れられる板状部以外の板状部を笠木Ｃの下面に添うように備えられる構成としてあれば、いかなる構成としてあってもよい。
【００２７】
また、この長尺板状部１０に備えられる垂下突条部１１は、レンガＣ’製の笠木Ｃの下面に添って備えられる当該プラスチック製水切り材Ｄによって遮断された雨水等を当該垂下突条部１１において下方に流下させ得る構成を備えておれば、いかなる構成としてあってもよい。
【００２８】
このように構成される塀Ａにあっては塀本体Ｂ上に備えられるレンガ笠木Ｃから塀本体Ｂに流れ落ちる雨水が当該水切り材Ｄにおける垂下突条部１１によって縁切りされて、塀本体Ｂ側に回ることなく下方に落下される。また、レンガ笠木Ｃにおけるメジモルタル２０部分における湿り等の滲み出し、黴出し、変色等を効果的に遮断することができる。
【００２９】
また、かかる塀Ａにあっては、典型的なレンガ笠木Ｃの風合いを全く損なうことなく、通常のレンガ積みによって笠木Ｃを構成し得ると共に、典型的な外観を有するレンガ笠木Ｃを備える塀Ａを、当該レンガ笠木Ｃからの雨水、湿りを効果的に遮断して、塀Ａ面における雨液の流れ跡、雨液の滲みだし跡、黴出し、付着塵埃や塵埃付着跡等が発生することのない塀Ａを提供することができる。
【００３０】
また、かかる構成よりなる塀Ａにあっては、容易に、かつ、確実に水切り処理の施されたレンガ笠木Ｃを構成することができる。
【００３１】
また、前記構成に係る水切り材Ｄにおける見切り凸条１２を、塀Ａに沿うように、かつ、長尺板状部１０の下面から下方に突き出すように備えさせることによって、この見切り凸条１２を目安にした下地モルタル２３の塗りつけを容易に、かつ、正確になすことができる。
【００３２】
また、塀本体Ｂと笠木Ｃとの間に挟み入れられる長尺板状部１０における板状部の長手方向に細長い孔１３を、止めつけ板状部１０ａを介して、当該長手方向に順次連続して備えてある水切り材Ｄにあっては、この水切り材Ｄを塀本体Ｂに対して容易かつ確実に止めつけることができ、また、この水切り材Ｄを介して塀本体Ｂ上に笠木Ｃ手段としてのレンガＣ’を容易かつ確実に備え付けることができる。
【００３３】
また、前記塀本体Ｂの内側と外側とに備えられる水切り材Ｄの一方水切り材Ｄを、垂下突条部１１側を屈曲外側にして留接ぎ１５にし、また、他方水切り材Ｄを、垂下突条部１１側を屈曲内側にして留接ぎ１５にすることで、直角に屈曲する塀笠木Ｃにおける雨水等の垂れ落ち、滲み出し、及び当該垂れ落ち、滲みだしに伴う塀面の変色等を効果的に防ぐことができる。
【００３４】
また、前記塀本体Ｂの内側と外側とに備えられる水切り材Ｄを、長尺板状部１０に備えられている孔１３を外部に連通させるように当該孔１３に沿っている板状部でカット１４し、当該水切り材Ｄを湾曲する笠木Ｃに沿って備えさせることで、平面視において外向き、又は、内向きに湾曲する塀Ａの笠木Ｃにおける雨水の垂れ落ち、滲みだし、及び当該垂れ落ち、滲みだしに伴う塀面の変色等を効果的に防ぐことができる。
【００３５】
ついで、図１〜図８に示される典型的な図示例の塀Ａについて具体的に説明する。
この図示例の塀Ａは、塀本体Ｂと、この塀本体Ｂ上に備えられるレンガＣ’製の笠木Ｃと、この笠木Ｃと塀本体Ｂと間に備えられるプラスチック製の水切り材Ｄとを備える塀Ａであって、この水切り材Ｄが、長尺板状部１０と、この長尺板状部１０の一方の長手縁に沿って当該長尺板状部１０から垂れ下げ状態に設けられている垂下突条部１１とを備えており、
この垂下突条部１１を前記塀本体Ｂに平行に、かつ、前記長尺板状部１０における垂下突条部１１を有しない長手縁に沿った板状部を前記塀本体Ｂと笠木Ｃとの間に挟み入れるように該長尺板状部１０を笠木Ｃの下面に添わせてある。
【００３６】
この図示例に係る塀本体Ｂは、鉄筋コンクリート塀、コンクリートブロック塀、鉄筋コンクリート組み立て塀、レンガ積塀等の任意の塀として構成される。例えば、門柱Ｅに連続する塀Ａを構成するように、例えば、コンクリートブロックの積み込みによって構成してあり、その内外の面Ｂｂ、Ｂｂ、及び、必要に応じて上面Ｂａに化粧仕上げ下地としての下地モルタル２１を塗り仕上げしてある。
【００３７】
このように用意された塀本体Ｂ上にレンガＣ’を敷き並べて笠木Ｃを構成するに先だって、プラスチック製の水切り材Ｄを該塀本体Ｂ上に備え付ける。
【００３８】
この塀本体Ｂ上に備え付けられるプラスチック製の水切り材Ｄは、耐水性、耐候性を備える各種のプラスチック材料によって構成することができる。また、このプラスチック製の水切り材Ｄは、各種の成形手法による成形される水切り材Ｄを用いることができる。また、かかる水切り材Ｄは、打ち抜き、切断、湾曲等の適宜の後処理を施して用いるようにしてあってもよい。また、かかるプラスチック製の水切り材Ｄは、レンガＣ’の重さに耐え得ると共に、適宜湾曲させて用いうるに必要な可撓性を備えるプラスチック材によって構成提供することができる。
【００３９】
図示例に係る水切り材Ｄ’、Ｄ”は、前記塀本体Ｂにおける内外の面Ｂｂ、Ｂｂに沿った上面Ｂａの長手方向に、対をなすように備えつけられており、この塀本体Ｂと笠木Ｃとの間で、その一部を挟み込むようにしてある。
【００４０】
この図示例に係る水切り材Ｄは、長方形状をなす長尺板状部１０と、この長尺板状部１０における長手縁の一方縁に沿って当該長尺板状部１０から下方に向けて突き出すように垂設されている垂下突条部１１とを備える構成としてある。
【００４１】
この図示例に係る長尺板状部１０に備えられる垂下突条部１１は当該長尺板状部１０をほぼ直角に屈曲した板状をなす凸状部として構成してあり、前記長尺板状部１０において受けられて該垂下突条部１１に案内される雨水等が、この垂下突条部１１の下端において流下あるいは滴下されて、当該垂下突条部１１から塀本体Ｂ側に雨水等の伝わるのを遮断する構成としてある。この図示例にあっては、当該板状をなす垂下突条部１１における前面と、これにつづく下端面とを雨水等の案内面としてあり、この雨水等の案内面を、当該下端面の後縁から該垂下突条部１１の背面を起立することで遮断してある。
【００４２】
また、この水切り材Ｄを構成する長尺板状部１０を、その幅側における一方側、すなわち、前記垂下突条部１１に連続して当該長尺板状部１０の長手縁に沿った延出添装板状部１０ｂと、当該幅側における他方側、すなわち、垂下突条部１１の備えられていない長手縁に沿った挟み込み板状部１０ａとしてあり、この挟み込み板状部１０ａに、その長さ方向に長い複数の長孔１３を、止めつけ板状部１０ａ”を介して順次に設け、この各長孔１３の中心線が同一線上に位置するように構成してある。また、この各長孔１３間にある止めつけ板状部１０ａ”は、当該水切り材Ｄを塀本体Ｂにコンクリート釘、コンクリートビス等の止着手段２４によって止めつけ得る幅を備える構成としてある。
【００４３】
かかる水切り材Ｄにおける長尺板状部１０の下面側、この図示例にあっては延出添装板状部１０ｂにおける挟み込み板状部１０ａの側に、前記垂下突条部１１に平行な見切り凸条部１２が設けてある。
【００４４】
このように用意される水切り材Ｄは、対をなす水切り材Ｄ’、Ｄ”を塀本体Ｂにおける内側と外側の面Ａａの上にある各上面Ｂａの各長手縁に沿うように備え付けた際に、この備え付け水切り材Ｄ’、Ｄ”間に塀本体Ｂの上面Ｂａが十分に露出する幅の長尺板状部１０を備える構成としてあり、塀本体Ｂ上に接合・調整モルタル２２を用いて笠木ＣをなすレンガＣ’を都合よく設け得るようにしてある。
【００４５】
かかる構成からなる水切り材Ｄを、その長手向きを塀本体Ｂにおける長手方向に沿わせるようにして、当該水切り材Ｄにおける垂下突条部１１を下向きにし、かつ、見切り凸条部１２を塀本体Ｂの内側と外側の面Ｂｂに近接させ、長尺板状部１０における挟み込み板状部１０ａを塀本体Ｂの上面Ｂａに乗せかけ、これを、例えば、コンクリート釘２４’で当該塀本体Ｂに止着することで、塀本体Ｂの上面Ｂａの各長手縁に沿ってそれぞれ水切り材Ｄ’、Ｄ”を備え付けることができる。
【００４６】
このように塀本体Ｂの上面Ｂａにおける塀本体Ｂの内側と外側の面Ｂｂの各側にある長手縁毎に水切り材Ｄ’、Ｄ”の備え付けられた塀本体Ｂ上に接合・調整モルタル２２を盛りつけて笠木ＣをなすレンガＣ’を、当該レンガＣ’が水切り材Ｄ’、Ｄ”の延出添装板状部１０ｂ上に密着し、かつ、この延出添装板状部１０ｂから塀本体Ｂの内側と外側方向に突き出すように、各レンガＣ’間にメジモルタル２０を挟み入れるようにして積み込む。なお、この笠木Ｃを構成するレンガＣ’は、通例のレンガ笠木Ｃの止めつけ手法で塀本体Ｂに組み付けてあり、例えば、真鍮製ダボ２５でずれ落ちないように止めつける。
【００４７】
また、水切り材Ｄ’の見切り凸条部１２と塀本体Ｂの内側の面Ｂｂとの間、及び、水切り材Ｄ”の見切り凸条部１２と塀本体Ｂの外側の面Ｂｂとの間を下地調整モルタル２３を用いてそれぞれ埋めつけ調整した状態でガン吹き塗装等の仕上げ処理を施して塀Ａを構成する。
【００４８】
このようにして構成される塀Ａにあっては、レンガＣ’やメジモルタル２０を伝わり、あるいは、レンガＣ’やメジモルタル２０等から滲み落ちる雨水等の液は、水切り材Ｄにおける垂下突条部１１で下方に落とされて、塀本体Ｂの内外の面Ｂｂに伝わることがない。
【００４９】
また、レンガＣ’の下面に吹き込まれる雨水等の液も同様に水切り材Ｄにおける垂下突条部１１によって下方に案内され、塀本体Ｂの内外の面Ｂｂに伝わることがない。
【００５０】
更に、水切り材Ｄにおける長尺板状部１０の下面に吹き付けられる雨水等の液は、前記見切り凸条部１２によって下方に落とされ、塀本体Ｂの内外の面Ｂｂに伝わることがない。
【００５１】
なお、前記水切り材Ｄは、塀本体Ｂが平面視において直角に屈曲し、あるいは、平面視において外側に張り出すように湾曲し、あるいは、内側に凹むように湾曲した構成の塀Ａにあっても効果的に添装させることができ、前記図１〜図５における塀Ａと同様の効果をもたらすことができる。
【００５２】
図６にかかる塀Ａにあっては、塀本体Ｂが平面視においてほぼ直角に屈曲しており、この平面視において直角に屈曲している塀本体Ｂの上面Ｂａにおける両側の各長手縁毎に前記水切り材Ｄ’、Ｄ”を沿わせるようになすと共に、これをコンクリート釘２４’を用いて塀本体Ｂに止着してレンガＣ’の乗せ置き面を構成する。
【００５３】
かかる塀本体Ｂにおける各隅部における水切り材Ｄの処理は、塀本体Ｂの屈曲外側、いわゆる出隅側に備えられる水切り材Ｄ”にあっては、該水切り材Ｄ”における垂下突条部１１を頂点にして該垂下突条部１１縁から４５度の角度分を残すように、長尺板状部１０を該垂下突条部１１を直角の頂点とする二等辺三角形状にカットして、この各カット面を接合することによって、いわゆる留接ぎ１５としてある。
【００５４】
また、この塀本体Ｂにおける隅部における水切り材Ｄ’は、塀本体Ｂの屈曲内側にあっては、挟み込み板状部１０ａの長手縁を直角の頂点にして、垂下突条部１１縁を底辺とする両隅角が４５度の二等辺三角形状にカットすることによって、当該カット部を接合することで、いわゆる留接ぎ１５として構成することができる。
【００５５】
かかる留継ぎ１３にあっては、各水切り材Ｄ’、Ｄ”における垂下突条部１１におけるカット縁が密に接合されて、当該留接ぎ１５縁から雨水等の液漏れをもたらす不具合がなく、外観体裁の良好な塀Ａを構成することができる。
【００５６】
また、図８に示されるように塀本体Ｂが平面視において湾曲している場合、この湾曲している塀本体Ｂにおける上面Ｂａにおける両側の各長手縁にそれぞれの水切り材Ｄ’、Ｄ”が都合良く密着しながら添装して備え得るように、この各水切り材Ｄ’、Ｄ”に必要な向きに対する撓み性をもたらすように構成する。例えば、ここで用いられる水切り材Ｄを、必要かつ十分な可撓性を備えるプラスチック材によって構成する。
【００５７】
かかる塀本体Ｂにおける湾曲外側に備え付けられる水切り材Ｄ”にあっては、該水切り材Ｄ”における垂下突条部１１に沿う長手縁を湾曲基線となるように挟み込み板状部１０ａを構成する孔１３における孔縁枠部１０ａ’を、当該湾曲の度合い、すなわち、水切り材Ｄ”を湾曲した際に当該各孔縁枠部１０ａ’が突き当たって湾曲の妨げとならない範囲で、当該孔縁枠部１０ａ’をカット１４する（図７の上側に示される水切り材Ｄ”を参照。）。また、湾曲内側に備え付けられる水切り材Ｄ’にあっては、該水切り材Ｄ’における垂下突条部１１に沿う長手縁を湾曲基線として湾曲し得るように挟み込み板状部１０ａの孔縁枠部１０ａ’を、当該湾曲の度合いに応じて開きだし得るようにカット目１４を付与しておき（図７の下側に示される水切り材Ｄ’を参照。）、当該カット目１４が湾曲使用に伴って図８に示されるように開き出しうる構成としてある。
【００５８】
なお、かかる留接ぎ１５にあっても、湾曲接合にあっても、各水切り材Ｄをコンクリート釘２４’等の止着手段２４によって塀本体Ｂに確実に止めつけて、モルタル２２の盛り込み、レンガＣ’の組み付け、敷き並べをなすようにしてある。
【００５９】
かかる屈曲部においても、また湾曲部においても、前記真っ直ぐに構成される塀Ａと同様に塀本体Ｂ上に備えられるレンガＣ’製の笠木Ｃから、雨水の垂れ落ち、雨水の滲み垂れ落ち等による塀Ａにおける壁面Ａａの汚損、例えば、滲みだし、黴出し、変色等を生ずることがない。
【図面の簡単な説明】
【００６０】
【図１】門柱に連続して備えられる典型的な塀を示す斜視図
【図２】同要部正面図
【図３】同要部断面図
【図４】同要部拡大断面図
【図５】同水切り材の斜視図
【図６】同水切り材の他の使用例を示す平面図
【図７】同水切り材の他の適用例を示す平面図
【図８】同水切り材の使用例を示す平面図
【符号の説明】
【００６１】
Ａ  塀
Ｂ  塀本体
Ｂａ  上面
Ｂｂ  内外の面  
Ｃ  笠木
Ｃａ  下面
Ｃ’  レンガ
Ｄ  水切り材
１０  長尺板状部
１０ａ  挟み込み板状部
１０ｂ  延出添装板状部
１１  垂下突条部
１２  見切り凸条部
１３  孔
【図１】
2008013968.tif 000003
【図２】
2008013968.tif 000004
【図３】
2008013968.tif 000005
【図４】
2008013968.tif 000006
【図５】
2008013968.tif 000007
【図６】
2008013968.tif 000008
【図７】
2008013968.tif 000009
【図８】
2008013968.tif 000010